(57)【要約】【課題】二重出力が許容されない用紙がパージ機能により出力されることを防止しつつ、それ以外の用紙のパージに影響を与えないように用紙搬送を制御する。【解決手段】用紙搬送経路に複数の排紙口が接続され、ジャム発生時に、用紙搬送経路上の用紙をパージするパージ機能を備える画像形成装置において、二重出力が許容されないＦＡＸ用紙などの第１用紙及び第１用紙以外の第２用紙の搬送中にジャムを検知した場合に、第１用紙を、第２用紙がいずれかの排紙口に排紙可能となる位置まで搬送して停止させ、第２用紙をパージする制御を行う。【選択図】図５
2019061062.tif 000002
【特許請求の範囲】
【請求項１】
用紙搬送経路に複数の排紙口が接続され、ジャム発生時に、前記用紙搬送経路上の用紙をパージするパージ機能を備える画像形成装置であって、
前記用紙搬送経路のジャムを検知するジャム検知部と、
二重出力が許容されない第１用紙及び前記第１用紙以外の第２用紙の搬送中に、ジャムを検知した場合に、前記第１用紙を、前記第２用紙がいずれかの排紙口に排紙可能となる位置まで搬送して停止させ、前記第２用紙をパージする用紙搬送制御部と、を備える、
ことを特徴とする画像形成装置。
【請求項２】
前記用紙搬送制御部は、前記ジャムの発生箇所を特定し、前記ジャムの発生箇所よりも上流側にある前記第１用紙を前記ジャムの発生箇所まで搬送する、
ことを特徴とする請求項１に記載の画像形成装置。
【請求項３】
前記用紙搬送制御部は、前記第１用紙により、当該第１用紙よりも上流側の前記第２用紙の排紙が妨げられる場合は、前記第２用紙の排紙経路が確保できるように、前記第１用紙を強制搬送する、
ことを特徴とする請求項２に記載の画像形成装置。
【請求項４】
前記画像形成装置は、画像形成部の下流側に、前記用紙搬送経路が繋がる複数のフィニッシャを備え、
前記用紙搬送制御部は、前記第１用紙を、所定のフィニッシャに搬送し、当該所定のフィニッシャ内部で停止させる、
ことを特徴とする請求項１に記載の画像形成装置。
【請求項５】
前記用紙搬送制御部は、前記第１用紙を、前記ジャムの発生箇所に最も近いフィニッシャに搬送する、
ことを特徴とする請求項４に記載の画像形成装置。
【請求項６】
前記用紙搬送制御部は、前記第１用紙を、前記画像形成部に最も近いフィニッシャに搬送する、
ことを特徴とする請求項４に記載の画像形成装置。
【請求項７】
前記用紙搬送制御部は、前記第１用紙を、前記用紙搬送経路上の用紙を一時的に格納する格納部を備えるフィニッシャに搬送する、
ことを特徴とする請求項４に記載の画像形成装置。
【請求項８】
前記用紙搬送制御部は、前記第１用紙を、ユーザが予め指定したフィニッシャに搬送する、
ことを特徴とする請求項４に記載の画像形成装置。
【請求項９】
前記第１用紙は、ＦＡＸ機能により出力される用紙である、
ことを特徴とする請求項１乃至８のいずれか一に記載の画像形成装置。
【請求項１０】
用紙搬送経路に複数の排紙口が接続され、ジャム発生時に、前記用紙搬送経路上の用紙をパージするパージ機能を備える画像形成装置における用紙搬送制御方法であって、
前記用紙搬送経路のジャムを検知する第１処理と、
二重出力が許容されない第１用紙及び前記第１用紙以外の第２用紙の搬送中に、ジャムを検知した場合に、前記第１用紙を、前記第２用紙がいずれかの排紙口に排紙可能となる位置まで搬送して停止させ、前記第２用紙をパージする第２処理と、を実行する、
ことを特徴とする用紙搬送制御方法。
【請求項１１】
前記第２処理では、前記ジャムの発生箇所を特定し、前記ジャムの発生箇所よりも上流側にある前記第１用紙を前記ジャムの発生箇所まで搬送する、
ことを特徴とする請求項１０に記載の用紙搬送制御方法。
【請求項１２】
前記第２処理では、前記第１用紙により、当該第１用紙よりも上流側の前記第２用紙の排紙が妨げられる場合は、前記第２用紙の排紙経路が確保できるように、前記第１用紙を強制搬送する、
ことを特徴とする請求項１１に記載の用紙搬送制御方法。
【請求項１３】
前記画像形成装置は、画像形成部の下流側に、前記用紙搬送経路が繋がる複数のフィニッシャを備え、
前記第２処理では、前記第１用紙を、所定のフィニッシャに搬送し、当該所定のフィニッシャ内部で停止させる、
ことを特徴とする請求項１０に記載の用紙搬送制御方法。
【請求項１４】
前記第２処理では、前記第１用紙を、前記ジャムの発生箇所に最も近いフィニッシャに搬送する、
ことを特徴とする請求項１３に記載の用紙搬送制御方法。
【請求項１５】
前記第２処理では、前記第１用紙を、前記画像形成部に最も近いフィニッシャに搬送する、
ことを特徴とする請求項１３に記載の用紙搬送制御方法。
【請求項１６】
前記第２処理では、前記第１用紙を、前記用紙搬送経路上の用紙を一時的に格納する格納部を備えるフィニッシャに搬送する、
ことを特徴とする請求項１３に記載の用紙搬送制御方法。
【請求項１７】
前記第２処理では、前記第１用紙を、ユーザが予め指定したフィニッシャに搬送する、
ことを特徴とする請求項１３に記載の用紙搬送制御方法。
【請求項１８】
前記第１用紙は、ＦＡＸ機能により出力される用紙である、
ことを特徴とする請求項１０乃至１７のいずれか一に記載の用紙搬送制御方法。
【請求項１９】
用紙搬送経路に複数の排紙口が接続され、ジャム発生時に、前記用紙搬送経路上の用紙をパージするパージ機能を備える画像形成装置で動作する用紙搬送制御プログラムであって、
前記画像形成装置の制御部に、
前記用紙搬送経路のジャムを検知する第１処理、
二重出力が許容されない第１用紙及び前記第１用紙以外の第２用紙の搬送中に、ジャムを検知した場合に、前記第１用紙を、前記第２用紙がいずれかの排紙口に排紙可能となる位置まで搬送して停止させ、前記第２用紙をパージする第２処理、を実行させる、
ことを特徴とする用紙搬送制御プログラム。
【発明の詳細な説明】
【技術分野】
【０００１】
本発明は、画像形成装置、用紙搬送制御方法及び用紙搬送制御プログラムに関し、特に、用紙搬送経路に接続される複数の排紙口を備える画像形成装置、当該画像形成装置におけるペーパージャム発生時の用紙搬送を制御する用紙搬送制御方法及び用紙搬送制御プログラムに関する。
【背景技術】
【０００２】
ＰＰ（Production Print）機では、多種多様な出力を行うために、本体（画像形成部）の下流側に複数のフィニッシャが装着されており、これに対応してダウンタイム短縮のための機能が複数サポートされている。この中の１つにパージ機能が存在する。通常、紙詰まりなどのペーパージャム（以下、ジャムと略記する。）が発生した時には、機内の印刷動作を即時停止するが、複数のフィニッシャを装着している場合には、搬送中の大量の用紙を除去する必要がある。この大量の用紙をユーザが手作業で除去すると時間がかかるため、パージ機能ではジャムが発生したフィニッシャ以外のフィニッシャを搬送中の用紙をサブトレイに排出し、ジャム発生箇所以外で排出可能な用紙は全て排紙して用紙の除去に要する時間を短縮している。
【０００３】
上記パージ機能に関する技術として、例えば、下記特許文献１には、画像データから、当該画像データの表す画像に対するセキュリティーレベルを解読する解読部と、シートを所定の経路に沿って搬送する搬送部と、前記経路を移動中のシートに、前記画像データの表す画像を形成する画像形成部と、前記経路を移動中のシートの位置を監視する監視部と、前記監視部を通して前記経路または搬送先におけるジャムの有無を監視し、当該ジャムを検出した場合、前記セキュリティーレベルが許容レベル以下であれば、前記経路を移動中のシートのうち前記経路からパージ可能なシートをパージして残りのシートを前記経路上に停止させるように前記搬送部を制御し、前記セキュリティーレベルが前記許容レベルを超えていれば、前記経路を移動中のシートをすべて前記経路上に停止させるように前記搬送部を制御する制御部と、を備えた画像形成装置が開示されている。
【０００４】
また、ジャム発生時の用紙搬送制御に関して、例えば、下記特許文献２には、シートを搬送する搬送ローラ対と、前記搬送ローラ対により搬送されるシートを案内する搬送路と、手動で前記搬送ローラ対を回転させる操作手段と、前記搬送路に残留したシートを除去する操作に伴って、前記搬送ローラ対の圧接力を増加させる増加手段と、有するシート搬送装置が開示されている。
【０００５】
また、下記特許文献３には、記録媒体を搬送して当該記録媒体上に画像を形成する画像形成装置であって、装置内で記録媒体のジャムが検知された場合に、装置内に残留する記録媒体のうち画像形成を完了できると判定された記録媒体があるときには当該記録媒体の画像形成を完了した後に正規の排出位置に向けて搬送するとともに、装置内に残留する記録媒体のうち画像形成を完了できないと判定された記録媒体があるときには当該記録媒体を複数のジャム処理位置のうちいずれかに向けて搬送する搬送手段と、前記装置内に残留する記録媒体の搬送が完了した後にジャムが生じたことを報知する報知手段と、を備えた画像形成装置が開示されている。
【先行技術文献】
【特許文献】
【０００６】
【特許文献１】特開２０１７−００９８０６号公報
【特許文献２】特開２０１６−０９８０８７号公報
【特許文献３】特開２００９−０４２４０２号公報
【発明の概要】
【発明が解決しようとする課題】
【０００７】
次世代の装置ではファームウェアがＯＰ（Office Product）機とＰＰ機とで共通となり、ＯＰ機の独自機能であるＦＡＸオプションとＰＰ機の独自機能である上記パージ機能とを共にサポートする必要がある。パージ機能では、ジャムが発生したときに、後続する用紙のジャムの発生（ジャムの連鎖）を防止し、ジャムからの復旧を容易にするため、本体やフィニッシャ内に残留しているジャム用紙以外の用紙の排出を行う。このため、正常に排出完了に至っていないにも関わらず、印刷済用紙が機外に排出される。
【０００８】
ここで、プリント等では印刷済の用紙が二重に出力されることが許容され、同じ内容の用紙がパージ機能により排紙されると共に、ジャム解消後に再出力される。一方、ＦＡＸ機能では、例えば注文書を受信した場合に、二重に出力されると複数の発注と誤認識される恐れがあることから、二重の出力は許容されず、通常、パージされた用紙は破棄される。しかしながら、パージされた用紙を破棄する時にユーザが中身を確認してＦＡＸ用紙が正常に印刷されたものとして取り扱う可能性があり、その場合は、同じ内容の用紙が二重に存在することになる。
【０００９】
従って、ＦＡＸ機能では二重出力を防止する必要があり、そのための方法として、ＦＡＸ印刷時はパージを禁止する方法が考えられるが、パージを禁止すると本体やフィニッシャ内に残留している用紙の除去に時間がかかるという問題が発生する。この問題に対して、特許文献１では、ジャム発生時にセキュリティーレベルが許容値を超える場合は全ての用紙のパージを禁止するように制御している。しかしながら、この方法でも、セキュリティーレベルの高い用紙がある場合、通常の用紙のパージも禁止されてしまうため、やはり、本体やフィニッシャ内に残留している用紙の除去に時間がかかる。
【００１０】
本発明は、上記問題点に鑑みてなされたものであって、その主たる目的は、二重出力が許容されない用紙がパージ機能により出力されることを防止しつつ、それ以外の用紙のパージに影響を与えないように用紙搬送を制御することができる画像形成装置、用紙搬送制御方法及び用紙搬送制御プログラムを提供することにある。
【課題を解決するための手段】
【００１１】
本発明の一側面は、用紙搬送経路に複数の排紙口が接続され、ジャム発生時に、前記用紙搬送経路上の用紙をパージするパージ機能を備える画像形成装置であって、前記用紙搬送経路のジャムを検知するジャム検知部と、二重出力が許容されない第１用紙及び前記第１用紙以外の第２用紙の搬送中に、ジャムを検知した場合に、前記第１用紙を、前記第２用紙がいずれかの排紙口に排紙可能となる位置まで搬送して停止させ、前記第２用紙をパージする用紙搬送制御部と、を備えることを特徴とする。
【００１２】
本発明の一側面は、用紙搬送経路に複数の排紙口が接続され、ジャム発生時に、前記用紙搬送経路上の用紙をパージするパージ機能を備える画像形成装置における用紙搬送制御方法であって、前記用紙搬送経路のジャムを検知する第１処理と、二重出力が許容されない第１用紙及び前記第１用紙以外の第２用紙の搬送中に、ジャムを検知した場合に、前記第１用紙を、前記第２用紙がいずれかの排紙口に排紙可能となる位置まで搬送して停止させ、前記第２用紙をパージする第２処理と、を実行することを特徴とする。
【００１３】
本発明の一側面は、用紙搬送経路に複数の排紙口が接続され、ジャム発生時に、前記用紙搬送経路上の用紙をパージするパージ機能を備える画像形成装置で動作する用紙搬送制御プログラムであって、前記画像形成装置の制御部に、前記用紙搬送経路のジャムを検知する第１処理、二重出力が許容されない第１用紙及び前記第１用紙以外の第２用紙の搬送中に、ジャムを検知した場合に、前記第１用紙を、前記第２用紙がいずれかの排紙口に排紙可能となる位置まで搬送して停止させ、前記第２用紙をパージする第２処理、を実行させることを特徴とする。
【発明の効果】
【００１４】
本発明の画像形成装置、用紙搬送制御方法及び用紙搬送制御プログラムによれば、二重出力が許容されない用紙がパージ機能により出力されることを防止しつつ、それ以外の用紙のパージに影響を与えないように用紙搬送を制御することができる。
【００１５】
その理由は、用紙搬送経路に複数の排紙口が接続され、ジャム発生時に、用紙搬送経路上の用紙をパージするパージ機能を備える画像形成装置において、二重出力が許容されない第１用紙及び第１用紙以外の第２用紙の搬送中にジャムを検知した場合に、第１用紙を、第２用紙がいずれかの排紙口に排紙可能となる位置まで搬送して停止させ、第２用紙をパージする制御を行うからである。
【図面の簡単な説明】
【００１６】
【図１】本発明の第１の実施例に係る画像形成装置の構成を示す模式図である。
【図２】本発明の第１の実施例に係る画像形成装置の構成を示すブロック図である。
【図３】本発明の第１の実施例に係る画像形成装置のジャム発生時の状態を示す模式図である。
【図４】本発明の第１の実施例に係る画像形成装置の用紙排出後の状態を示す模式図である。
【図５】本発明の第１の実施例に係る画像形成装置の動作を示すフローチャート図である。
【図６】本発明の第２の実施例に係る画像形成装置のジャム発生時の状態を示す模式図である。
【図７】本発明の第２の実施例に係る画像形成装置の用紙排出中の状態を示す模式図である。
【図８】本発明の第２の実施例に係る画像形成装置の用紙排出後の状態を示す模式図である。
【図９】本発明の第２の実施例に係る画像形成装置の動作を示すフローチャート図である。
【図１０】本発明の第３の実施例に係る画像形成装置のジャム発生時の状態を示す模式図である。
【図１１】本発明の第３の実施例に係る画像形成装置の用紙排出後の状態を示す模式図である。
【図１２】本発明の第３の実施例に係る画像形成装置の動作を示すフローチャート図である。
【図１３】本発明の第４の実施例に係る画像形成装置のジャム発生時の状態を示す模式図である。
【図１４】本発明の第４の実施例に係る画像形成装置の用紙排出後の状態を示す模式図である。
【図１５】本発明の第４の実施例に係る画像形成装置の動作を示すフローチャート図である。
【図１６】本発明の第５の実施例に係る画像形成装置のジャム発生時の状態を示す模式図である。
【図１７】本発明の第５の実施例に係る画像形成装置の用紙排出後の状態を示す模式図である。
【図１８】本発明の第５の実施例に係る画像形成装置の動作を示すフローチャート図である。
【図１９】本発明の第６の実施例に係る画像形成装置のジャム発生時の状態を示す模式図である。
【図２０】本発明の第６の実施例に係る画像形成装置の用紙排出後の状態を示す模式図である。
【図２１】本発明の第６の実施例に係る画像形成装置の動作を示すフローチャート図である。
【図２２】本発明の第７の実施例に係る画像形成装置のジャム発生時の状態を示す模式図である。
【図２３】本発明の第７の実施例に係る画像形成装置の用紙排出後の状態を示す模式図である。
【図２４】本発明の第７の実施例に係る画像形成装置の動作を示すフローチャート図である。
【発明を実施するための形態】
【００１７】
背景技術で示したように、パージ機能では、ジャムが発生したときに、本体やフィニッシャ内に残留しているジャム用紙以外の用紙の排出を行う。ここで、プリント等では印刷済の用紙が二重に出力されることが許容され、同じ内容の用紙がパージ機能により排紙されると共に、ジャム解消後に再出力される。一方、ＦＡＸ機能では、印刷済の用紙が二重に出力されることが許容されず、通常、パージされた用紙は破棄される。しかしながら、パージされた用紙を破棄する時にユーザが中身を確認してＦＡＸ用紙が正常に印刷されたものとして取り扱う可能性があり、その場合は、同じ内容の用紙が二重に出力される恐れがある。
【００１８】
この二重出力を防止するための方法として、ＦＡＸ印刷時はパージを禁止する方法が考えられるが、パージを禁止すると、本体やフィニッシャ内に残留している用紙の除去に時間がかかる。また、特許文献１では、ジャム発生時にセキュリティーレベルが許容値を超える場合は全ての用紙のパージを禁止するように制御しているが、この方法でも、セキュリティーレベルの高い用紙がある場合、通常の用紙のパージも禁止されてしまうため、やはり、本体やフィニッシャ内に残留している用紙の除去に時間がかかる。
【００１９】
そこで、本発明の一実施の形態では、二重出力が許容されない用紙の出力中にジャムが発生した場合、二重出力が許容されない用紙を、それ以外の用紙がパージ可能となる位置まで搬送して停止させ、それ以外の用紙をパージする。具体的には、用紙搬送経路に複数の排紙口が接続され、ジャム発生時に、用紙搬送経路上の用紙をパージするパージ機能を備える画像形成装置に、用紙搬送経路のジャムを検知するジャム検知部と、二重出力が許容されないＦＡＸ用紙などの第１用紙及び第１用紙以外の第２用紙の搬送中に、ジャムを検知した場合に、第１用紙を、第２用紙がいずれかの排紙口に排紙可能となる位置まで搬送して停止させ、第２用紙をパージする用紙搬送制御部と、を設け、第１用紙を用紙搬送経路上に留め、第２用紙のみを排紙するようにする。
【００２０】
このような制御を行うことにより、二重出力が許容されない用紙がパージ機能により出力されることを防止しつつ、それ以外の用紙のパージに影響を与えないようにすることができ、パージ機能を有効に活用して生産性を維持することができる。
【実施例１】
【００２１】
上記した本発明の一実施の形態についてさらに詳細に説明すべく、本発明の第１の実施例に係る画像形成装置、用紙搬送制御方法及び用紙搬送制御プログラムについて、図１乃至図５を参照して説明する。図１は、本実施例の画像形成装置の構成を示す模式図であり、図２は、本実施例の画像形成装置の構成を示すブロック図である。また、図３及び図４は、本実施例の画像形成装置の状態を示す模式図であり、図５は、本実施例の画像形成装置の動作を示すフローチャート図である。
【００２２】
本実施例の画像形成装置１０は、ＦＡＸ機能とパージ機能とを備えるＭＦＰ（Multi-Functional Peripherals）などであり、図１に示すように、印刷データに基づいて用紙に画像を形成する画像形成部２１等の下流側に、複数のフィニッシャ（ここでは、第１乃至第５フィニッシャ）と複数の排紙口（ここでは、第１乃至第４排紙口及びＦＡＸ排紙口）とを備える後処理部２２が連結されている。この画像形成装置１０は、図２（ａ）に示すように、制御部１１、記憶部１５、表示操作部１６、画像処理部１７、ネットワークＩ／Ｆ部１８、ＦＡＸ送受信部１９、給紙部２０、画像形成部２１、後処理部２２などで構成される。
【００２３】
制御部１１は、ＣＰＵ（Central Processing Unit）１２とＲＯＭ（Read Only Memory）１３やＲＡＭ（Random Access Memory）１４などのメモリとで構成され、ＣＰＵ１２は、ＲＯＭ１３や記憶部１５に記憶した制御プログラムをＲＡＭ１４に展開して実行することにより、画像形成装置１０全体の動作を制御する。
【００２４】
記憶部１５は、ＨＤＤ（Hard Disk Drive）やＳＳＤ（Solid State Drive）などで構成され、ＣＰＵ１２が各部を制御するためのプログラム、自装置の処理機能に関する情報などを記憶する。
【００２５】
表示操作部１６は、ＬＣＤ（Liquid Crystal Display）や有機ＥＬ（Electro Luminescence）ディスプレイなどの表示部上に透明電極が格子状に配置された感圧式や静電容量式の操作部（タッチセンサ）を設けたタッチパネルなどであり、プリント処理やＦＡＸ処理に関する各種画面を表示し、プリント処理やＦＡＸに関する各種操作を可能にする。
【００２６】
画像処理部１７は、図示しないクライアント装置などから受信した印刷ジョブ（ＰＪＬ（Printer Job Language）やＰＳ（PostScript）、ＰＣＬ（Printer Control Language）等のページ記述言語で記述されたＰＤＬ（Page Description Language）データ、または、ＰＤＦ（Portable Document Format）データなど）を解析し、印刷ジョブに含まれる各ページをラスタライズして画像データを生成し、必要に応じて画像処理（色調整、濃度調整、サイズ調整などの処理）やスクリーニングを行う。
【００２７】
ネットワークＩ／Ｆ部１８は、ＮＩＣ（Network Interface Card）やモデムなどで構成され、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワークを介して、図示しないクライアント装置などから印刷ジョブを受信する。
【００２８】
ＦＡＸ送受信部１９は、ＩＴＵ−Ｔ（International Telecommunication Union-Telecommunication）勧告Ｔ．３０で規定される、PhaseＡ〜Ｅの５つのフェーズのＦＡＸ通信制御シーケンスに従い、公衆回線網（ＰＳＮＴ：Public Switched Telephone Networks）を介して、相手方のＦＡＸ通信装置とのＦＡＸ通信を行う。
【００２９】
給紙部２０は、用紙を格納する部分であり、格納された用紙を画像形成部２１へ送り出す部分を含む。
【００３０】
画像形成部２１は、電子写真方式や静電記録方式等の作像プロセスを利用した画像形成に必要な構成要素で構成される。例えば、感光体ドラム、転写ローラ、定着器、各種搬送ベルトなどで構成され、画像処理部１７が生成した画像データやＦＡＸ送受信部１９が受信したＦＡＸ画像データに基づき、給紙部２０から搬送される用紙に画像を形成して、後処理部２２に送り出す。この画像形成部２１には、給紙部２０から搬送される用紙の搬送経路上に、用紙を検知するセンサが設けられており、センサの検知信号を制御部１１に出力することにより、ジャムの発生が検知可能になっている。
【００３１】
後処理部２２は、画像形成部２１から搬送される用紙に対して、制御部１１からの指示により、必要に応じてパンチ、ステープル、折り、断裁、製本、糊による貼り付けなどのユーザが希望するフィニッシング処理を加えて出力する。この後処理部２２は、複数のフィニッシャ２３（本実施例では、第１〜第５フィニッシャ）、複数の排紙口２４（本実施例では、第１乃至第４排紙口）、ＦＡＸ排紙口２５などを備える。この後処理部２２には、画像形成部２１から排紙口２４又はＦＡＸ排紙口２５に搬送される用紙の搬送経路上に、用紙を検知するセンサが設けられており、センサの検知信号を制御部１１に出力することにより、ジャムの発生が検知可能になっている。
【００３２】
また、上記制御部１１は、図２（ｂ）に示すように、ジャム検知部１１ａ、用紙搬送制御部１１ｂなどとしても機能する。
【００３３】
ジャム検知部１１ａは、画像形成部２１及び後処理部２２の用紙搬送経路に設けられたセンサからの信号に基づいて用紙搬送経路のジャムを検知し、ジャムが発生した用紙搬送経路の位置（ジャム発生箇所と呼ぶ。）を特定する。
【００３４】
用紙搬送制御部１１ｂは、ジャム発生箇所及び用紙搬送経路上の用紙の種別に基づいて、用紙搬送経路上にある各用紙の搬送及び排紙を制御する。具体的には、二重出力が許容されない用紙（本実施例ではＦＡＸ用紙とする。）及びＦＡＸ用紙以外の用紙（例えば、プリント用紙）の搬送中に、ジャムを検知した場合に、ＦＡＸ用紙を、プリント用紙がいずれかの排紙口に排紙可能となる位置まで搬送して停止させ、プリント用紙をパージする。例えば、ジャム発生箇所よりも下流側にある用紙は、ジャム発生箇所よりも下流側の排紙口２４又はＦＡＸ排紙口２５に排紙し、ジャム発生箇所よりも上流側にあるＦＡＸ用紙は、ジャム発生箇所まで搬送し、ジャム発生箇所よりも上流側にあるプリント用紙は、ジャム発生箇所よりも上流側の排紙口２４に排紙する。
【００３５】
上記ジャム検知部１１ａ、用紙搬送制御部１１ｂはハードウェアとして構成してもよいし、制御部１１をジャム検知部１１ａ、用紙搬送制御部１１ｂとして機能させる用紙搬送制御プログラムとして構成し、当該用紙搬送制御プログラムをＣＰＵ１２に実行させるようにしてもよい。
【００３６】
なお、図１及び図２は、本実施例の画像形成装置１０の一例であり、本実施例の用紙搬送制御が実行可能な限りにおいて、その構成や制御は適宜変更可能である。例えば、本実施例では、画像形成装置１０内に制御部１１と画像形成部２１と後処理部２２とを含む構成としているが、各部を独立した装置（制御装置と印刷装置と後処理装置）とし、これらが接続された画像形成システムとしたり、制御装置がいずれかの装置（好ましくは印刷装置）に含まれる画像形成システムとしたりしてもよい。また、本実施例では、画像形成装置１０がクライアント装置から印刷ジョブを受信する構成とするが、画像形成装置１０をプリンタコントローラに接続し、プリンタコントローラが印刷ジョブを受信してラスタライズし、ラスタライズ後の画像データを画像形成装置１０に送信する構成としてもよい。
【００３７】
次に、図３及び図４を参照して、本実施例の画像形成装置１０における用紙搬送制御について説明する。なお、図３及び図４では、説明を容易にするために、画像形成部２１から最後段のフィニッシャ２３（第５フィニッシャ２３ｅ）までの用紙搬送経路のみを記載し、各段のフィニッシャ２３内部のフィニッシング処理を行うための用紙搬送経路、及び、各段の排紙口に排紙するための用紙搬送経路は記載を省略している。また、図３及び図４では、用紙を認識しやすくするために矩形で表し、矩形の模様で用紙の種別を識別できるようにしている。本実施例では、ＦＡＸ用紙を黒塗りの矩形で示し、ＦＡＸ用紙以外の用紙（例えば、各印刷ジョブのプリント用紙）を各種ハッチングの矩形で示している。
【００３８】
本実施例では、ジャムが発生した時に、ジャム発生箇所の上流側に搬送中の用紙（ＦＡＸ用紙及びそれ以外の用紙）がある場合、ＦＡＸ用紙以外の用紙は所定の排紙口に排紙（パージ）し、ＦＡＸ用紙はジャム発生箇所に搬送するように用紙搬送を制御する。
【００３９】
例えば、図３に示すように、ＦＡＸ用紙及びＦＡＸ用紙以外の用紙の印刷中に、（１）の用紙（ここではＦＡＸ用紙）に対してジャムが発生した場合を考える。搬送中の（２）、（３）は、二重出力が許容されないＦＡＸ用紙であり、それ以外は、二重出力が許容されるプリントや別のジョブの用紙である。この場合、制御部１１（用紙搬送制御部１１ｂ）は、図４に示すように、（２）、（３）のＦＡＸ用紙以外の用紙は、パージ可能な第１排紙口〜第４排紙口に排紙し、（２）、（３）のＦＡＸ用紙は、ジャムが発生した（１）の用紙の近くまで搬送して停止させ、ジャム状態にする。
【００４０】
これにより、二重出力が許容されないＦＡＸ用紙がパージ機能により出力されることを防止しつつ、それ以外の用紙のパージを適切に行うことができる。なお、ここでは、（１）のＦＡＸ用紙に対してジャムが発生した場合について記載したが、ＦＡＸ用紙以外の用紙に対してジャムが発生した場合も同様である。
【００４１】
この場合の画像形成装置１０の動作について具体的に説明する。ＣＰＵ１２は、用紙搬送制御プログラムをＲＡＭ１４に展開して実行することにより、図５のフローチャート図に示す各ステップの処理を実行する。
【００４２】
まず、画像形成部２１は、ネットワークＩ／Ｆ部１８を介して受信した印刷ジョブから画像処理部１７が生成した画像データやＦＡＸ送受信部１９が受信したＦＡＸ画像データに基づいてページ印刷を開始する（Ｓ１０１）。
【００４３】
次に、制御部１１（ジャム検知部１１ａ）は、印刷済みの用紙を排紙口に搬送する際の用紙搬送経路上のジャムを監視し（Ｓ１０２）、ジャムを検知しない場合は（Ｓ１０２のＮｏ）、画像形成部２１は、ページ印刷を続行し、ページ印刷が完了したら（Ｓ１０３）、制御部１１は、次の印刷処理（プリント処理又はＦＡＸ処理）があるかを判断する（Ｓ１０４）。次の印刷処理がある場合は（Ｓ１０４のＹｅｓ）、Ｓ１０１に戻って、次の印刷処理のページ印刷を開始し、次の印刷処理がない場合は（Ｓ１０４のＮｏ）、一連の印刷処理を終了する。
【００４４】
制御部１１（ジャム検知部１１ａ）がジャムを検知したら（Ｓ１０２のＹｅｓ）、制御部１１（用紙搬送制御部１１ｂ）は、ＦＡＸ用紙の印刷中であるか（ＦＡＸ用紙が用紙搬送経路上にあるか）を判断する（Ｓ１０５）。ＦＡＸ用紙の印刷中でなければ（Ｓ１０５のＮｏ）、制御部１１（用紙搬送制御部１１ｂ）は、排紙可能な（いずれかの排紙口に搬送可能な）用紙を全てパージする（Ｓ１０６）。そして、制御部１１（ジャム検知部１１ａ）は、ジャム用紙の除去を監視し（Ｓ１０７）、ジャム用紙の除去が完了したら（Ｓ１０７のＹｅｓ）、制御部１１は、リカバリ先頭ページ（再出力する印刷処理の先頭ページ）を特定し（Ｓ１０８）、Ｓ１０１に戻ってページ印刷を開始する。
【００４５】
一方、ＦＡＸ用紙の印刷中の場合は（Ｓ１０５のＹｅｓ）、制御部１１（用紙搬送制御部１１ｂ）は、用紙搬送経路上の用紙がＦＡＸ用紙であるかを判断し（Ｓ１０９）、ＦＡＸ用紙であれば（Ｓ１０９のＹｅｓ）、ジャム発生箇所まで用紙搬送し（Ｓ１１０）、ＦＡＸ用紙でなければ（Ｓ１０９のＮｏ）、排紙可能な場合（ジャム用紙及びＦＡＸ用紙によって排紙口への搬送が妨げられていない場合）はパージする（Ｓ１１１）。
【００４６】
そして、制御部１１（用紙搬送制御部１１ｂ）は、ＦＡＸ用紙以外の用紙のパージ及びＦＡＸ用紙の搬送が完了したかを判断し（Ｓ１１２）、パージ及びＦＡＸ用紙搬送が完了していなければ（Ｓ１１２のＮｏ）、Ｓ１０９に戻って次の用紙に対して同様の処理を繰り返し、パージ及びＦＡＸ用紙搬送が完了したら（Ｓ１１２のＹｅｓ）、Ｓ１０７に遷移してジャム用紙の除去を監視する。
【００４７】
このように、ＦＡＸ用紙及びＦＡＸ用紙以外の用紙の印刷中にジャムが発生した場合、ＦＡＸ用紙はジャム発生箇所まで搬送し、ＦＡＸ用紙以外の用紙は可能な限りパージすることにより、二重出力が許容されない用紙がパージ機能により出力されることを防止しつつ、それ以外の用紙のパージに影響を与えないようにすることができる。
【実施例２】
【００４８】
次に、本発明の第２の実施例に係る画像形成装置、用紙搬送制御方法及び用紙搬送制御プログラムについて、図６乃至図９を参照して説明する。図６乃至図８は、本実施例の画像形成装置の状態を示す模式図であり、図９は、本実施例の画像形成装置の動作を示すフローチャート図である。
【００４９】
前記した第１の実施例では、ジャム発生箇所よりも上流側の用紙搬送経路上のＦＡＸ用紙をジャム発生箇所まで搬送したが、ジャム発生箇所に搬送したＦＡＸ用紙が、ＦＡＸ用紙以外の用紙のパージを妨げる場合がある。そこで、本実施例では、ＦＡＸ用紙を単にジャム発生箇所に搬送するのではなく、ＦＡＸ用紙以外の用紙がパージ可能になる位置まで強制的に搬送するように制御する。
【００５０】
例えば、図６に示すように、ＦＡＸ用紙及びＦＡＸ用紙以外の用紙の印刷中に、（１）の用紙（ここではＦＡＸ用紙）に対してジャムが発生した場合を考える。搬送中の（２）、（３）は、二重出力が許容されないＦＡＸ用紙であり、それ以外（（４）、（５）を含む。）は、二重出力が許容されるプリントや別のジョブの用紙である。この場合、（２）のＦＡＸ用紙をジャムが発生した（１）の用紙の後方で止めると、（２）のＦＡＸ用紙が第４排紙口２４ｄへの用紙搬送経路上に留まってしまい、（４）、（５）の用紙のパージが出来なくなってしまう。そこで、本実施例では、制御部１１（用紙搬送制御部１１ｂ）は、図７に示すように、（２）のＦＡＸ用紙を（４）、（５）の用紙のパージを妨げない位置（ここでは（１）の用紙に重なる位置）まで強制的に搬送する。すなわち、ＦＡＸ用紙により、当該ＦＡＸ用紙よりも上流側のＦＡＸ用紙以外の用紙の排紙が妨げられる場合は、ＦＡＸ用紙以外の用紙の排紙経路が確保できるように、ＦＡＸ用紙を強制搬送する。その後、図８に示すように、（２）、（３）のＦＡＸ用紙以外の用紙は、パージ可能な第１排紙口〜第４排紙口に排紙し、（３）のＦＡＸ用紙は、ジャム発生箇所まで搬送して停止させ、ジャム状態にする。
【００５１】
この場合の画像形成装置１０の動作について具体的に説明する。ＣＰＵ１２は、用紙搬送制御プログラムをＲＡＭ１４に展開して実行することにより、図９のフローチャート図に示す各ステップの処理を実行する。なお、図９のＳ２０１〜Ｓ２０８は、第１の実施例の図５のＳ１０１〜Ｓ１０８と同様であるため、説明を省略する。
【００５２】
制御部１１（ジャム検知部１１ａ）がジャムを検知し（Ｓ２０２のＹｅｓ）、制御部１１（用紙搬送制御部１１ｂ）がＦＡＸ用紙の印刷中と判断した場合（Ｓ２０５のＹｅｓ）、制御部１１（用紙搬送制御部１１ｂ）は、用紙搬送経路上の用紙がＦＡＸ用紙であるかを判断する（Ｓ２０９）。用紙搬送経路上の用紙がＦＡＸ用紙であれば（Ｓ２０９のＹｅｓ）、制御部１１（用紙搬送制御部１１ｂ）は、当該ＦＡＸ用紙をジャム発生箇所まで用紙搬送し（Ｓ２１０）、当該ＦＡＸ用紙が、ＦＡＸ用紙以外の用紙のパージを妨げるかを判断し（Ｓ２１１）、パージを妨げる場合は（Ｓ２１１のＹｅｓ）、当該ＦＡＸ用紙を、排紙口を確保できる（ＦＡＸ用紙以外の用紙をいずれかの排紙口に排紙できる）位置まで強制搬送する（Ｓ２１２）。また、用紙搬送経路上の用紙がＦＡＸ用紙でなければ（Ｓ２０９のＮｏ）、排紙可能な場合（ジャム用紙及びＦＡＸ用紙によって排紙口への搬送が妨げられていない場合）はパージする（Ｓ２１３）。
【００５３】
そして、制御部１１（用紙搬送制御部１１ｂ）は、ＦＡＸ用紙以外の用紙のパージ及びＦＡＸ用紙の搬送が完了したかを判断し（Ｓ２１４）、パージ及びＦＡＸ用紙搬送が完了していなければ（Ｓ２１４のＮｏ）、Ｓ２０９に戻って次の用紙に対して同様の処理を繰り返し、パージ及びＦＡＸ用紙搬送が完了したら（Ｓ２１４のＹｅｓ）、Ｓ２０７に遷移してジャム用紙の除去を監視する。
【００５４】
このように、ＦＡＸ用紙及びＦＡＸ用紙以外の用紙の印刷中にジャムが発生した場合、ＦＡＸ用紙を、ＦＡＸ用紙以外の用紙がパージ可能になる位置まで強制的に搬送することにより、第１の実施例の効果に加えて、ＦＡＸ用紙以外の用紙を確実にパージすることができる。
【実施例３】
【００５５】
次に、本発明の第３の実施例に係る画像形成装置、用紙搬送制御方法及び用紙搬送制御プログラムについて、図１０乃至図１２を参照して説明する。図１０及び図１１は、本実施例の画像形成装置の状態を示す模式図であり、図１２は、本実施例の画像形成装置の動作を示すフローチャート図である。
【００５６】
前記した第１及び第２の実施例では、ＦＡＸ用紙をジャム発生箇所まで搬送したが、例えば、ＦＡＸ用紙が２つフィニッシャを跨ぐ位置で停止すると、２つのフィニッシャのカバーを開けてジャム用紙及びＦＡＸ用紙を除去する必要があり、手間がかかる。また、搬送経路のメカニカルな部品を取り外してジャム用紙を除去する場合に、取り外した部品に用紙が部分的に挟まった状態であると、ジャム用紙がちぎれて除去に手間がかかる場合などがある。そこで、本実施例では、ジャム発生時に、搬送中のＦＡＸ用紙がある場合、ＦＡＸ用紙以外の用紙はパージし、ＦＡＸ用紙はジャム発生箇所に最も近い、ジャム除去が容易な位置（複数のフィニッシャを跨がない位置）に搬送するように制御する。
【００５７】
例えば、図１０に示すように、ＦＡＸ用紙及びＦＡＸ用紙以外の用紙の印刷中に、（１）の用紙（ここではＦＡＸ用紙）に対してジャムが発生した場合、制御部１１（用紙搬送制御部１１ｂ）は、図１１に示すように、（２）、（３）のＦＡＸ用紙以外の用紙は、パージ可能な第１排紙口〜第４排紙口に排紙し、（２）、（３）のＦＡＸ用紙は、ジャムが発生した（１）の用紙の近くのジャム除去が容易な位置（ここでは、第４フィニッシャ２３ｄ内部の用紙搬送経路）で停止させ、ジャム状態にする。
【００５８】
この場合の画像形成装置１０の動作について具体的に説明する。ＣＰＵ１２は、上述した用紙搬送制御プログラムをＲＡＭ１４に展開して実行することにより、図１２のフローチャート図に示す各ステップの処理を実行する。なお、図１２のＳ３０１〜Ｓ３０８は、第１の実施例の図５のＳ１０１〜Ｓ１０８と同様であるため、説明を省略する。
【００５９】
制御部１１（ジャム検知部１１ａ）がジャムを検知し（Ｓ３０２のＹｅｓ）、制御部１１（用紙搬送制御部１１ｂ）がＦＡＸ用紙の印刷中と判断した場合（Ｓ３０５のＹｅｓ）、制御部１１（用紙搬送制御部１１ｂ）は、用紙搬送経路上の用紙がＦＡＸ用紙であるかを判断し（Ｓ３０９）、ＦＡＸ用紙であれば（Ｓ３０９のＹｅｓ）、ジャム発生箇所に最も近いジャム除去が容易な位置まで用紙搬送し（Ｓ３１０）、ＦＡＸ用紙でなければ（Ｓ３０９のＮｏ）、排紙可能な場合（ジャム用紙及びＦＡＸ用紙によって排紙口への搬送が妨げられていない場合）はパージする（Ｓ３１１）。
【００６０】
そして、制御部１１（用紙搬送制御部１１ｂ）は、ＦＡＸ用紙以外の用紙のパージ及びＦＡＸ用紙の搬送が完了したかを判断し（Ｓ３１２）、パージ及びＦＡＸ用紙搬送が完了していなければ（Ｓ３１２のＮｏ）、Ｓ３０９に戻って次の用紙に対して同様の処理を繰り返し、パージ及びＦＡＸ用紙搬送が完了したら（Ｓ３１２のＹｅｓ）、Ｓ３０７に遷移してジャム用紙の除去を監視する。
【００６１】
このように、ＦＡＸ用紙及びＦＡＸ用紙以外の用紙の印刷中にジャムが発生した場合、ＦＡＸ用紙を、ジャム発生箇所に最も近い、ジャム除去が容易な位置に搬送することにより、第１の実施例の効果に加えて、迅速にジャムから復帰できるようにすることができる。
【実施例４】
【００６２】
次に、本発明の第４の実施例に係る画像形成装置、用紙搬送制御方法及び用紙搬送制御プログラムについて、図１３乃至図１５を参照して説明する。図１３及び図１４は、本実施例の画像形成装置の状態を示す模式図であり、図１５は、本実施例の画像形成装置の動作を示すフローチャート図である。
【００６３】
前記した第１乃至第３の実施例では、ＦＡＸ用紙をジャム発生箇所の近傍に搬送したが、画像形成装置１０を操作するユーザは本体近傍にいることが多く、本体から離れた場所でジャムが発生した場合、ＦＡＸ用紙の取り出しが煩雑になる。そこで、本実施例では、ジャム発生時に、搬送中のＦＡＸ用紙がある場合、ＦＡＸ用紙以外の用紙はパージし、ＦＡＸ用紙は本体に最も近い、ジャム除去の容易な位置に搬送するように制御する。
【００６４】
例えば、図１３に示すように、ＦＡＸ用紙及びＦＡＸ用紙以外の用紙の印刷中に、（１）の用紙（ここではＦＡＸ用紙）に対してジャムが発生した場合、制御部１１（用紙搬送制御部１１ｂ）は、図１４に示すように、（２）、（３）のＦＡＸ用紙以外の用紙は、パージ可能な第１排紙口〜第４排紙口に排紙し、（２）、（３）のＦＡＸ用紙は、本体に最も近いジャム除去が容易な位置（ここでは第２フィニッシャ２３ｂ）で停止させ、ジャム状態にする。
【００６５】
この場合の画像形成装置１０の動作について具体的に説明する。ＣＰＵ１２は、上述した用紙搬送制御プログラムをＲＡＭ１４に展開して実行することにより、図１５のフローチャート図に示す各ステップの処理を実行する。なお、図１５のＳ４０１〜Ｓ４０８は、第１の実施例の図５のＳ１０１〜Ｓ１０８と同様であるため、説明を省略する。
【００６６】
制御部１１（ジャム検知部１１ａ）がジャムを検知し（Ｓ４０２のＹｅｓ）、制御部１１（用紙搬送制御部１１ｂ）がＦＡＸ用紙の印刷中と判断した場合（Ｓ４０５のＹｅｓ）、制御部１１（用紙搬送制御部１１ｂ）は、用紙搬送経路上の用紙がＦＡＸ用紙であるかを判断し（Ｓ４０９）、ＦＡＸ用紙であれば（Ｓ４０９のＹｅｓ）、本体に最も近いＦＡＸ用紙の除去が容易な位置まで用紙搬送し（Ｓ４１０）、ＦＡＸ用紙でなければ（Ｓ４０９のＮｏ）、排紙可能な場合（ジャム用紙及びＦＡＸ用紙によって排紙口への搬送が妨げられていない場合）はパージする（Ｓ４１１）。
【００６７】
そして、制御部１１（用紙搬送制御部１１ｂ）は、ＦＡＸ用紙以外の用紙のパージ及びＦＡＸ用紙の搬送が完了したかを判断し（Ｓ４１２）、パージ及びＦＡＸ用紙搬送が完了していなければ（Ｓ４１２のＮｏ）、Ｓ４０９に戻って次の用紙に対して同様の処理を繰り返し、パージ及びＦＡＸ用紙搬送が完了したら（Ｓ４１２のＹｅｓ）、Ｓ４０７に遷移してジャム用紙の除去を監視する。
【００６８】
このように、ＦＡＸ用紙及びＦＡＸ用紙以外の用紙の印刷中にジャムが発生した場合、ＦＡＸ用紙を本体に最も近い、ジャム除去が容易な位置に搬送することにより、第１の実施例の効果に加えて、迅速にＦＡＸ用紙を取り出すことができる。
【実施例５】
【００６９】
次に、本発明の第５の実施例に係る画像形成装置、用紙搬送制御方法及び用紙搬送制御プログラムについて、図１６乃至図１８を参照して説明する。図１６及び図１７は、本実施例の画像形成装置の状態を示す模式図であり、図１８は、本実施例の画像形成装置の動作を示すフローチャート図である。
【００７０】
第４の実施例では、ＦＡＸ用紙を本体に最も近い、ジャム除去の容易な位置に搬送したが、用紙搬送経路上のＦＡＸ用紙の位置によっては、ＦＡＸ用紙を本体に最も近いジャム除去の容易な位置で停止させることができない場合がある。そこで、本実施例では、第１乃至第３の実施例と第４の実施例とを組み合わせ、ジャム発生時に、搬送中のＦＡＸ用紙がある場合、ＦＡＸ用紙以外の用紙はパージし、ＦＡＸ用紙は本体に最も近いジャム除去が容易な位置とジャム発生箇所に最も近いジャム除去が容易な位置とに搬送するように制御する。
【００７１】
例えば、図１６に示すように、ＦＡＸ用紙及びＦＡＸ用紙以外の用紙の印刷中に、（１）の用紙（ここではＦＡＸ用紙）に対してジャムが発生した、制御部１１（用紙搬送制御部１１ｂ）は、図１７に示すように、（２）〜（５）のＦＡＸ用紙以外の用紙は、パージ可能な第１排紙口〜第４排紙口に排紙し、本体に最も近いジャム除去が容易な位置での停止が間に合わない（２）、（３）のＦＡＸ用紙は、ジャム発生箇所に最も近いジャム除去が容易な位置（ここでは第４フィニッシャ２３ｄ）で停止させ、（４）、（５）のＦＡＸ用紙は本体に最も近いジャム除去が容易な位置（ここでは第２フィニッシャ２３ｂ）で停止させ、ジャム状態にする。
【００７２】
この場合の画像形成装置１０の動作について具体的に説明する。ＣＰＵ１２は、上述した用紙搬送制御プログラムをＲＡＭ１４に展開して実行することにより、図１８のフローチャート図に示す各ステップの処理を実行する。なお、図１８のＳ５０１〜Ｓ５０８は、第１の実施例の図５のＳ１０１〜Ｓ１０８と同様であるため、説明を省略する。
【００７３】
制御部１１（ジャム検知部１１ａ）がジャムを検知し（Ｓ５０２のＹｅｓ）、制御部１１（用紙搬送制御部１１ｂ）がＦＡＸ用紙の印刷中と判断した場合（Ｓ５０５のＹｅｓ）、制御部１１（用紙搬送制御部１１ｂ）は、用紙搬送経路上の用紙がＦＡＸ用紙であるかを判断する（Ｓ５０９）。用紙搬送経路上の用紙がＦＡＸ用紙であれば（Ｓ５０９のＹｅｓ）、制御部１１（用紙搬送制御部１１ｂ）は、本体に最も近いジャム除去が容易な位置でＦＡＸ用紙が停止可能かを判断し（Ｓ５１０）、停止可能な場合は（Ｓ５１０のＹｅｓ）、本体に最も近いジャム除去が容易な位置でＦＡＸ用紙を停止させ（Ｓ５１１）、停止できない場合は（Ｓ５１０のＮｏ）、ジャム発生箇所に最も近いジャム除去が容易な位置でＦＡＸ用紙を停止する（Ｓ５１２）。また、用紙搬送経路上の用紙がＦＡＸ用紙でなければ（Ｓ５０９のＮｏ）、排紙可能な場合（ジャム用紙及びＦＡＸ用紙によって排紙口への搬送が妨げられていない場合）はパージする（Ｓ５１３）。
【００７４】
そして、制御部１１（用紙搬送制御部１１ｂ）は、ＦＡＸ用紙以外の用紙のパージ及びＦＡＸ用紙の搬送が完了したかを判断し（Ｓ５１４）、パージ及びＦＡＸ用紙搬送が完了していなければ（Ｓ５１４のＮｏ）、Ｓ５０９に戻って次の用紙に対して同様の処理を繰り返し、パージ及びＦＡＸ用紙搬送が完了したら（Ｓ５１４のＹｅｓ）、Ｓ５０７に遷移してジャム用紙の除去を監視する。
【００７５】
このように、ＦＡＸ用紙及びＦＡＸ用紙以外の用紙の印刷中にジャムが発生した場合、ＦＡＸ用紙を、本体に最も近いジャム除去が容易な位置とジャム発生箇所に最も近いジャム除去が容易な位置とに搬送することにより、ＦＡＸ用紙を適切に搬送することができる。
【実施例６】
【００７６】
次に、本発明の第６の実施例に係る画像形成装置、用紙搬送制御方法及び用紙搬送制御プログラムについて、図１９乃至図２１を参照して説明する。図１９及び図２０は、本実施例の画像形成装置の状態を示す模式図であり、図２１は、本実施例の画像形成装置の動作を示すフローチャート図である。
【００７７】
前記した第１乃至第５の実施例では、ＦＡＸ用紙をジャム発生箇所の近傍、又は、本体近傍に搬送したが、複数のフィニッシャ２３の中には、用紙の取り出しが容易な構造のフィニッシャ２３もあれば、用紙の取り出しが困難な構造のフィニッシャ２３もある。例えば、重ね中折り機能付きのフィニッシャは中間トレー（用紙搬送経路上の用紙を一時的に格納する格納部）を備えており、中間トレーからは用紙を容易に取り出すことができる。そこで、本実施例では、ジャム発生時に、搬送中のＦＡＸ用紙がある場合、ＦＡＸ用紙以外の用紙はパージし、ＦＡＸ用紙は用紙除去が最も容易なフィニッシャのジャム除去が容易な搬送位置（例えば、上記重ね中折り機能付きのフィニッシャの中間トレー）に搬送するように制御する。
【００７８】
例えば、図１９に示すように、ＦＡＸ用紙及びＦＡＸ用紙以外の用紙の印刷中に、（１）の用紙（ここではＦＡＸ用紙）に対してジャムが発生した場合、制御部１１（用紙搬送制御部１１ｂ）は、図２０に示すように、（２）、（３）のＦＡＸ用紙以外の用紙は、パージ可能な第１排紙口〜第４排紙口に排紙し、（２）、（３）のＦＡＸ用紙は最もジャム除去が容易な第３フィニッシャ２３ｃのジャム除去が容易な搬送経路（例えば、上記中間トレー）で停止させ、ジャム状態にする。
【００７９】
この場合の画像形成装置１０の動作について具体的に説明する。ＣＰＵ１２は、上述した用紙搬送制御プログラムをＲＡＭ１４に展開して実行することにより、図２１のフローチャート図に示す各ステップの処理を実行する。なお、図２１のＳ６０１〜Ｓ６０８は、第１の実施例の図５のＳ１０１〜Ｓ１０８と同様であるため、説明を省略する。
【００８０】
制御部１１（ジャム検知部１１ａ）がジャムを検知し（Ｓ６０２のＹｅｓ）、制御部１１（用紙搬送制御部１１ｂ）がＦＡＸ用紙の印刷中と判断した場合（Ｓ６０５のＹｅｓ）、制御部１１（用紙搬送制御部１１ｂ）は、用紙搬送経路上の用紙がＦＡＸ用紙であるかを判断し（Ｓ６０９）、ＦＡＸ用紙であれば（Ｓ６０９のＹｅｓ）、用紙除去が最も容易なフィニッシャのジャム除去が容易な搬送経路まで用紙搬送し（Ｓ６１０）、ＦＡＸ用紙でなければ（Ｓ６０９のＮｏ）、排紙可能な場合（ジャム用紙及びＦＡＸ用紙によって排紙口への搬送が妨げられていない場合）はパージする（Ｓ６１１）。
【００８１】
そして、制御部１１（用紙搬送制御部１１ｂ）は、ＦＡＸ用紙以外の用紙のパージ及びＦＡＸ用紙の搬送が完了したかを判断し（Ｓ６１２）、パージ及びＦＡＸ用紙搬送が完了していなければ（Ｓ６１２のＮｏ）、Ｓ６０９に戻って次の用紙に対して同様の処理を繰り返し、パージ及びＦＡＸ用紙搬送が完了したら（Ｓ６１２のＹｅｓ）、Ｓ６０７に遷移してジャム用紙の除去を監視する。
【００８２】
このように、ＦＡＸ用紙及びＦＡＸ用紙以外の用紙の印刷中にジャムが発生した場合、ＦＡＸ用紙を、用紙除去が最も容易なフィニッシャのジャム除去が容易な搬送経路に搬送することにより、第１の実施例の効果に加えて、迅速にジャムから復帰できるようにすることができる。
【実施例７】
【００８３】
次に、本発明の第７の実施例に係る画像形成装置、用紙搬送制御方法及び用紙搬送制御プログラムについて、図２２乃至図２４を参照して説明する。図２２及び図２３は、本実施例の画像形成装置の状態を示す模式図であり、図２４は、本実施例の画像形成装置の動作を示すフローチャート図である。
【００８４】
前記した第６の実施例では、ＦＡＸ用紙を用紙除去が最も容易なフィニッシャのジャム除去が容易な搬送位置に搬送したが、ユーザによって用紙の取り出しが容易なフィニッシャ２３が異なる場合がある。そこで、本実施例では、ジャム発生時に、搬送中のＦＡＸ用紙がある場合、ＦＡＸ用紙以外の用紙はパージし、ＦＡＸ用紙は予めユーザに指定されたフィニッシャのジャム除去の容易な搬送位置に搬送するように制御する。
【００８５】
例えば、図２２に示すように、ＦＡＸ用紙及びＦＡＸ用紙以外の用紙の印刷中に、（１）の用紙（ここではＦＡＸ用紙）に対してジャムが発生した場合、制御部１１（用紙搬送制御部１１ｂ）は、図２３に示すように、（２）、（３）のＦＡＸ用紙以外の用紙は、パージ可能な第１排紙口〜第４排紙口に排紙し、（２）、（３）のＦＡＸ用紙は、ユーザが指定したフィニッシャ２３（ここでは、第４フィニッシャ２３ｄ）のジャム除去が容易な搬送経路で停止させ、ジャム状態にする。
【００８６】
この場合の画像形成装置１０の動作について具体的に説明する。ＣＰＵ１２は、上述した用紙搬送制御プログラムをＲＡＭ１４に展開して実行することにより、図２４のフローチャート図に示す各ステップの処理を実行する。なお、図２４のＳ７０１〜Ｓ７０８は、第１の実施例の図５のＳ１０１〜Ｓ１０８と同様であるため、説明を省略する。
【００８７】
制御部１１（ジャム検知部１１ａ）がジャムを検知し（Ｓ７０２のＹｅｓ）、制御部１１（用紙搬送制御部１１ｂ）がＦＡＸ用紙の印刷中と判断した場合（Ｓ７０５のＹｅｓ）、制御部１１（用紙搬送制御部１１ｂ）は、用紙搬送経路上の用紙がＦＡＸ用紙であるかを判断し（Ｓ７０９）、ＦＡＸ用紙であれば（Ｓ７０９のＹｅｓ）、ユーザが指定したフィニッシャのジャム除去が容易な搬送経路まで用紙搬送し（Ｓ７１０）、ＦＡＸ用紙でなければ（Ｓ７０９のＮｏ）、排紙可能な場合（ジャム用紙及びＦＡＸ用紙によって排紙口への搬送が妨げられていない場合）はパージする（Ｓ７１１）。
【００８８】
そして、制御部１１（用紙搬送制御部１１ｂ）は、ＦＡＸ用紙以外の用紙のパージ及びＦＡＸ用紙の搬送が完了したかを判断し（Ｓ７１２）、パージ及びＦＡＸ用紙搬送が完了していなければ（Ｓ７１２のＮｏ）、Ｓ７０９に戻って次の用紙に対して同様の処理を繰り返し、パージ及びＦＡＸ用紙搬送が完了したら（Ｓ７１２のＹｅｓ）、Ｓ７０７に遷移してジャム用紙の除去を監視する。
【００８９】
このように、ＦＡＸ用紙及びＦＡＸ用紙以外の用紙の印刷中にジャムが発生した場合、ＦＡＸ用紙を、ユーザが指定したフィニッシャのジャム除去が容易な搬送位置に搬送することにより、第１の実施例の効果に加えて、迅速にジャムから復帰できるようにすることができる。
【００９０】
なお、本発明は上記実施例に限定されるものではなく、本発明の趣旨を逸脱しない限りにおいて、その構成や制御は適宜変更可能である。
【００９１】
例えば、上記各実施例では、ＦＡＸ用紙のパージを制限する場合について記載したが、二重出力が許容されない任意の用紙のパージを制限する場合に対して、本発明の用紙搬送制御方法を同様に適用することができる。
【産業上の利用可能性】
【００９２】
本発明は、用紙搬送経路に接続される複数の排紙口を備える画像形成装置、当該画像形成装置におけるジャム発生時の用紙搬送を制御する用紙搬送制御方法、用紙搬送制御プログラム及び当該用紙搬送制御プログラムを記録した記録媒体に利用可能である。
【符号の説明】
【００９３】
１０  画像形成装置
１１  制御部
１１ａ  ジャム検知部
１１ｂ  用紙搬送制御部
１２  ＣＰＵ
１３  ＲＯＭ
１４  ＲＡＭ
１５  記憶部
１６  表示操作部
１７  画像処理部
１８  ネットワークＩ／Ｆ部
１９  ＦＡＸ送受信部
２０  給紙部
２１  画像形成部
２２  後処理部
２３  フィニッシャ
２４  排紙口
２５  ＦＡＸ排紙口
【図１】
2019061062.tif 000003
【図２】
2019061062.tif 000004
【図３】
2019061062.tif 000005
【図４】
2019061062.tif 000006
【図５】
2019061062.tif 000007
【図６】
2019061062.tif 000008
【図７】
2019061062.tif 000009
【図８】
2019061062.tif 000010
【図９】
2019061062.tif 000011
【図１０】
2019061062.tif 000012
【図１１】
2019061062.tif 000013
【図１２】
2019061062.tif 000014
【図１３】
2019061062.tif 000015
【図１４】
2019061062.tif 000016
【図１５】
2019061062.tif 000017
【図１６】
2019061062.tif 000018
【図１７】
2019061062.tif 000019
【図１８】
2019061062.tif 000020
【図１９】
2019061062.tif 000021
【図２０】
2019061062.tif 000022
【図２１】
2019061062.tif 000023
【図２２】
2019061062.tif 000024
【図２３】
2019061062.tif 000025
【図２４】
2019061062.tif 000026